(57)【要約】【課題】掃除機本体と吸入体とを連結する軟性材質の流入管が折れるのを防止する。【解決手段】キャニスタ型に切替可能なアップライト型掃除機に関するもので、この掃除機は、吸入口（１２）及び吐出口（１４）を有する本体（１０）と、捕集口及び排出口（１８）を有する吸入体（１５）と、本体（１０）に着脱可能に設置される延長管（３０）及び取っ手（２０）と、吸入口（１２）に一側端部が連結され、他側端部は排出口（１８）または取っ手（２０）に選択的に結合する流入管（７０）と、吸入口（１２）の一側に取り付けられ、流入管（７０）を曲線を維持する状態に支持する折れ防止手段（８０）と、流入管（７０）の一側に設置され、フック（９２）を有する固定リング（９０）と、を備える。【選択図】図３
2009504233.tif 000002
【特許請求の範囲】
【請求項１】
吸入口及び吐出口が形成され、前記吸入口内側に吸入装置が取り付けられた掃除機本体と、
前記掃除機本体が上面に着脱可能に設置され、捕集口及び排出口が形成された吸入体と、
前記掃除機本体に着脱可能に取り付けられ、内部を中空とし、この中空内部が、異物の流入する流路を形成する延長管及び取っ手と、
前記吸入口に一側端部が連結され、他側端部が前記排出口または前記取っ手に選択的に結合される流入管と、
前記吸入口一側に取り付けられ、前記流入管を曲線状態が維持されるように支持する折れ防止手段と、
を備えることを特徴とする、キャニスタ型に切替可能なアップライト型掃除機の流入管支持構造。
【請求項２】
前記流入管の一側に装着され、その外周面にフックが形成されて前記掃除機本体の一側に引っ掛かる固定リングをさらに備えることを特徴とする、請求項１に記載のキャニスタ型に切替可能なアップライト型掃除機の流入管支持構造。
【請求項３】
前記掃除機本体は、前記折れ防止手段に対応する上面に締結ボスが形成され、前記固定リングと対応する側面に挿入溝部が形成されることを特徴とする、請求項１に記載のキャニスタ型に切替可能なアップライト型掃除機の流入管支持構造。
【請求項４】
前記折れ防止手段は、前記流入管の支持面を形成する曲面パネルと、前記曲面パネルの下端に形成され、前記締結ボスと結合する結合孔部と、を備えることを特徴とする、請求項３に記載のキャニスタ型に切替が可能なアップライト型掃除機の流入管支持構造。
【請求項５】
前記掃除機本体は、前記締結ボスから一定距離離間した周面に形成され、前記結合孔部の内壁に密着されるリブを備えることを特徴とする、請求項４に記載のキャニスタ型に切替可能なアップライト型掃除機の流入管支持構造。
【請求項６】
前記リブの外周に前記曲面パネル及び前記結合孔部の下端が嵌着される装着溝部が形成されることを特徴とする、請求項５に記載のキャニスタ型に切替可能なアップライト型掃除機の流入管支持構造。
【発明の詳細な説明】
【技術分野】
【０００１】
本発明は、キャニスタ型に切替可能なアップライト型掃除機に係り、特に、アップライト型掃除機として使用される時に吸入体の排出口と掃除機本体の吸入口とを連結する軟性材質の流入管が折れるのを防止することによって、異物及び空気の吸入する流路に抵抗が発生するのを抑えることができる、キャニスタ型に切替可能なアップライト型掃除機の流入管支持構造に関する。
【背景技術】
【０００２】
一般に、真空掃除機は、ファンモーターの駆動による真空ポンプの動作から発生した負圧による強力な吸引力によって、室内の床面、壁面、隙間などにまき散っているホコリやその他の異物を吸い込み、内部の集塵フィルタにより捕集するように構成された家電機器と知られている。
【０００３】
現在広く普及されて使用されている真空掃除機は、その使用状態と形態によって、隅掃除及び移動が便利で、ブラシーやノズルの交換が容易なキャニスタ型（Ｃａｎｉｓｔｅｒ  ｔｙｐｅ）と、広い空間の掃除に有利で、保管が便利なアップライト型（Ｕｐｒｉｇｈｔ  ｔｙｐｅ）とに大別される。
【０００４】
図１は、従来技術によるアップライト型掃除機を示す斜視図である。
【０００５】
従来のアップライト型真空掃除機は、底面に移動ホイール１０５が装着され、床面からホコリを吸い込む吸入体１００と、モーターなどの部品が組み込まれている駆動ボックス２００と、直立型の取っ手３００と、で構成される。
【０００６】
上記のような真空掃除機では、吸入体１００の底面にはブラシーが取り付けられた捕集口（図示せず）が形成され、ブラシーにより除去されたホコリが吸い込まれ、この吸い込まれたホコリは、空気の外部への吐出と共に流動してフィルタで捕集される。
【０００７】
しかしながら、従来技術によるアップライト型真空掃除機は、吸入体が掃除機本体の他の部分に比べて相対的に広く形成されているので直立可能であり、これにより、広い空間を容易に移動しながら掃除でき、掃除作業の終了後にも直立状態に保管できるという利点があるが、吸入体が床面と面接した状態で掃除作業を行わねばならず、隅部や家具間の隙間など狭い空間の掃除作業は行い難いという欠点があった。そこで、このような欠点を克服する工夫が望まれている現状である。
【発明の開示】
【発明が解決しようとする課題】
【０００８】
本発明は上記の点に鑑みてなされたもので、その目的は、キャニスタ型掃除機を構成する掃除機本体と、掃除機本体が脱着可能に直立状態に設置される吸入体とが別に製作されることによって、掃除機本体と吸入体の組立有無によってキャニスタ型及びアップライト型に切替可能にした、キャニスタ型に切替可能なアップライト型掃除機を提供することにある。
【０００９】
また、本発明の他の目的は、掃除機本体と吸入体とを連結する軟性材質の流入管が折れるのを防止することによって、異物及び空気の吸い込まれる流路に抵抗が発生するのを抑えることができる、キャニスタ型に切替可能なアップライト型掃除機の流入管支持構造を提供することにある。
【課題を解決するための手段】
【００１０】
上記の目的を達成するための本発明に係るキャニスタ型に切替可能なアップライト型掃除機の流入管支持構造は、吸入口及び吐出口が形成され、前記吸入口内側に吸入装置が取り付けられた掃除機本体と、前記掃除機本体が上面に着脱可能に設置され、捕集口及び排出口が形成された吸入体と、前記掃除機本体に着脱可能に取り付けられ、内部を中空とし、この中空内部が、異物の流入する流路を形成する延長管及び取っ手と、前記吸入口に一側端部が連結され、他側端部が前記排出口または前記取っ手に選択的に結合される流入管と、前記吸入口一側に取り付けられ、前記流入管を曲線状態が維持されるように支持する折れ防止手段と、を備える構成とした。
【００１１】
なお、本発明によるキャニスタ型に切替可能なアップライト型掃除機の流入管支持構造は、前記流入管の一側に装着され、その外周面にフックが形成されて前記掃除機本体の一側に引っ掛かる固定リングをさらに備えることが好ましい。
【００１２】
前記掃除機本体は、前記折れ防止手段に対応する上面に締結ボスが形成され、前記固定リングと対応する側面に挿入溝部が形成されることが好ましい。
【００１３】
前記折れ防止手段は、前記流入管が安置される曲面パネルと、前記曲面パネルの下端に形成され、前記締結ボスと結合する結合孔部と、を備えることが好ましい。ここで、前記掃除機本体は、前記締結ボスから一定距離離間した周面に形成され、前記結合孔部の内壁に密着されるリブを備えることが好ましい。また、前記リブの外周に前記曲面パネル及び前記結合孔部の下端が嵌着される装着溝部が形成されることが好ましい。
【発明の効果】
【００１４】
本発明によるキャニスタ型に切替可能なアップライト型掃除機の流入管支持構造によれば、掃除機本体の上端に形成された吸入口の一側に折れ防止手段が取り付けられ、かつ、流入管を掃除機本体に密着させる固定リングが設置されるため、アップライト型掃除機として使用するときに、流入管の折れが防止されて吸気流路の抵抗が最小限に抑えられ、結果として掃除作業中の騒音の発生を抑え、かつ、掃除作業時の電気消費量を節減することが可能になる。
【００１５】
なお、折れ防止手段及び固定リングにより流入管が掃除機本体の側面に固定されるので、アップライト型掃除機として掃除作業を行う時に流入管が掃除機本体の外側にぶら下がるのを防止し、流入管と使用者及びその他家具とが接触するのを防止することができる。これにより、掃除作業が邪魔されず、円滑な掃除作業が可能になる。
【発明を実施するための最良の形態】
【００１６】
以下、本発明に係るキャニスタ型に切替可能なアップライト型掃除機の流入管支持構造の実施形態について、添付の図面を参照しつつ詳細に説明する。
【００１７】
図２は、本発明による真空掃除機を示す斜視図であり、図３は、本発明による流入管支持構造の折れ防止手段の設置状態を示す斜視図である。
【００１８】
本発明によるキャニスタ型に切替可能なアップライト型掃除機の流入管支持構造は、内部に一定空間を有し、吸入口１２及び吐出口１４が形成され、吸入口１２の内側に吸入ファン（図示せず）が装着された掃除機本体１０と、掃除機本体１０が上面に着脱可能に設置され、捕集口及び排出口１８が形成された吸入体１５と、掃除機本体１０に着脱可能に設置され、中空の内部が異物の流入する流路を形成する延長管３０及び取っ手２０と、吸入口１２に一側端部が連結され、他側端部が排出口１８または取っ手２０に選択的に結合される流入管７０と、吸入口１２の一側に取り付けられ、流入管７０を曲線を維持する状態に支持する折れ防止手段８０と、流入管７０の一側に設置され、外周面にフック９２が形成されて掃除機本体１０の一側に引っ掛かる固定リング９０と、を備える。
【００１９】
上記の構成により、図２に示すアップライト型真空掃除機をキャニスタ型真空掃除機に切替可能である。すなわち、延長管３０及び取っ手２０を掃除機本体１０から取り外し、流入管７０を排出口１８から外して取っ手２０に締結した後に掃除機本体１０を吸入体１５から分離することによって、アップライト型空掃除機をキャニスタ型に切替可能である。
【００２０】
ここで、掃除機本体１０は、吸入口１２から排出口１８側の方向に一定距離離間した部分に締結ボス１１が設けられ、この締結ボス１１に折れ防止手段８０がボルト結合される。なお、排出口１８に対応する側面には挿入溝部１３が形成され、ここに固定リング９０のフック９２を引っ掛けることにより、アップライト型真空掃除機として使用される時に、掃除機本体１０及び吸入体１５の移動により流入管７０が掃除機本体１０外側でぶら下がる（揺動する）のを防止し、掃除機の外観を良くすると同時に掃除作業中に流入管７０が使用者またはその他家具等と接触するのを防止することができる。
【００２１】
図４は、本発明による流入管支持構造を示す分解斜視図であり、図５は、本発明による流入管支持構造の固定リングを示す分解斜視図である。
【００２２】
折れ防止手段８０は、流入管７０を支持する支持面を形成する曲面パネル８２と、曲面パネル８２の下端に形成され、締結ボス１１と結合する結合孔部８４とを備えてなる。一方、流入管７０は軟性材質の蛇腹管からなるので、図５に示すように、吸入口１２から排出口１８まで延びると折れ易い。しかし、流入管７０を曲面パネル８２に支持させることにより、流入管７０が曲線状に排出口１８側に曲がるので、流入管７０の内部で発生する流路抵抗を最小限に抑えることができる。
【００２３】
ここで、結合孔部８４は、図６に示すように、内部を中空として、この内部に締結ボス１１を挿入できるようにしている。このため、締結ボス１１から一定距離離間してリブ１１ａが形成され、リブ１１ａの外周には結合孔部８４及び曲面パネル８２の下端が嵌着される装着溝部１１ｂが形成される。したがって、折れ防止手段８０が締結ボス１１に被嵌されると、リブ１１ａが結合孔部８４の内壁に密着され、結合孔部８４及び曲面パネル８２が装着溝部１１ｂに嵌着されることで、折れ防止手段８０の揺動が抑止される。
【００２４】
次に、上記のように構成された本発明によるキャニスタ型に切替可能なアップライト型掃除機の流入管支持構造の作用について説明する。
【００２５】
まず、キャニスタ型掃除機として使用される時には、取っ手２０及び延長管３０を掃除機本体１０から取り外し、流入管７０を排出口１８から外して流入管７０の一側端部を取っ手２０の締結孔部２２に連結した後に掃除機本体を吸入体１５から分離することで、掃除作業を行うことができる。
【００２６】
一方、アップライト型掃除機として使用する際には、図２に示すように、掃除機本体１０を吸入体１５の上面に直立するようにして結合させ、取っ手２０及び延長管３０を掃除機本体１０に結合させ、流入管７０を排出口１８に挿入することで、アップライト型掃除機とすれば良い。
【００２７】
この時、流入管７０は、折れ防止手段８０の曲面パネル８２に支持させることによってその折れを防止し、固定リング９０のフック９２を挿入溝部１３に引っ掛けることによって流入管７０が掃除機本体１０の側面からそれるのを防止する。
【００２８】
したがって、本発明のキャニスタ型に切替可能なアップライト型掃除機は、吸入体１５と掃除機本体１０とを連結する流入管７０が折れたり掃除機本体１０からそれるのを防止できるので、吸気流路の抵抗が最小限に抑えられ、かつ、流入管７０が使用者や家具などと接触するのを防ぎ、円滑な掃除作業が可能になる。
【図面の簡単な説明】
【００２９】
【図１】一般のアップライト型真空掃除機を示す斜視図である。
【図２】本発明による真空掃除機を示す斜視図である。
【図３】本発明による流入管支持構造の折れ防止手段の設置状態を示す斜視図である。
【図４】本発明による流入管支持構造を示す分解斜視図である。
【図５】本発明による流入管支持構造の固定リングを示す分解斜視図である。
【図６】本発明による流入管支持構造の折れ防止手段を示す断面図である。
【図１】
2009504233.tif 000003
【図２】
2009504233.tif 000004
【図３】
2009504233.tif 000005
【図４】
2009504233.tif 000006
【図５】
2009504233.tif 000007
【図６】
2009504233.tif 000008
【国際調査報告】
2009504233.tif 000009
2009504233.tif 000010